(57)【要約】【目的】快適な繊維製品、すなわち機能性や審美性等を必要とする繊維製品の設計と開発に資することができるカバードヤーン、またはストッキングやパンティスットキングを提供する。【構成】芯糸とカバリング糸からなるカバードヤーン中において、その巻き数あるいは撚り数を１，０００ｔｕｒｎｓ／ｍ以上、ならびに延伸比を１．５倍以上で、連続的かつ部分的に調整・制御しながら、同時に原糸の可変巻上げ装置あるいは可変張力機構によって最適な供給量をも制御できる、新規な原糸作製機能がついたチューブラ編機や丸編機などの編機または織機によって製造する方法。【選択図】  図１
2004277983.tif 000002
【特許請求の範囲】
【請求項１】
パンティスットキング用原糸中において、その撚り数，または巻き数を１，０００ｔｕｒｎｓ／ｍ以上で連続的かつ部分的に変化させたことを特徴とする糸、あるいは繊維集合体。
【請求項２】
パンティスットキング用原糸中において、その延伸比を１．５倍以上で連続的かつ部分的に変化させたことを特徴とする糸、あるいは繊維集合体。
【請求項３】
上記請求項１と２に記載の原糸、または繊維集合体を使用したことを特徴とするパンティストッキング、あるいはストッキング、ならびに繊維集合体。
【請求項４】
上記請求項１、２と３に記載の原糸、または繊維集合体が作製できる機構を編織機に組み込むために、原糸の可変巻上げ装置あるいは可変張力機構を備えることを特徴とするパンティストッキング、あるいはストッキング、ならびに繊維集合体の製造方法。
【発明の詳細な説明】
【０００１】
【産業上の利用分野】
本発明は、パンティストッキング用またはストッキング用、タイツ用などとして脚部部位において優れた審美性を有する新規原糸、あるいは繊維集合体、繊維製品、ならびにそれらの製造方法に関する。
【０００２】
【従来の技術】
パンティスットキング、あるいはストッキングにおける従来の技術としては、涼感性や伸縮性などの機能性付与に関する製造方法および製品（たとえば特開２００２−３４８７０１，特開２００２−３２７３０７，特開２００２−２８５４０５，特開２００２−１０５７０３，特開２００２−６９７０５，特開２００２−６９７０２，特開２００１−１４６６３６，特開２００１−１１５３０３，特開２０００−２９０８０６，特開２００−１７０００７，特開平１１−３２３６１０，特開平１１−１５２６０５）、原糸であるカバリング糸に関する製造方法と製品（特開２００２−２７５７３８）、カバリング機の中空スピンドル（特開平８−８１８４６）などが知られている。
【０００３】
しかし，これらにおいては原糸中の繊維素材やその組合せ方法、編構造などを差別化したもの、あるいは脚部部位の整圧やサポート力を変化させたものであり、いずれの場合にも一定な糸構造の原糸を使用しているにすぎず、原糸の撚り数や巻き数、あるいは芯糸の延伸比を連続的に変化させることによって、原糸の構造を積極的に調整し制御したものではない。また、原糸作製機構を保有した新規編機を開発したものでもない。
【０００４】
【発明が解決しようとする課題】
これに対して、本発明は、糸構造の変化、あるいは連続的かつ部分的な調整・制御と求められる強度と審美性を有する原糸、繊維集合体、あるいは繊維製品、ならびにそれらの製造方法を得るものである。
【０００５】
本発明のパンティストッキング原糸は強度や審美性などの機能性を有しており、衣料用の繊維や糸などの繊維製品として使用できるほか、医療用、農業用、産業用に好適に使用でき、最終繊維製品としての快適な編織物への展開のみならず、弾力性と透明性を必要とする製品等の設計と開発に資することができるものである。また、原糸作製機を直結させ，組み合わせることにより、原糸の構造を連続的かつ積極的に調整・制御したパンティストッキングあるいはストッキングなどの繊維製品を低価格で、しかも簡単かつ安定的に製造できる製造方法を提供することを目的とする。
【０００６】
【課題を解決するための手段】
現在女性の生活にとって、パンティストッキングやストッキング、タイツは重要な衣料品の１つとなっている。パンティストッキングあるいはストッキングの原糸としては、従来ナイロン繊維のモノフィラメント糸またはマルチフィラメント糸が使用されていた。また、これらの糸はごく最近までピュアタイプやシアータイプなどの透明感を重視する場合に限り使用されてきた。しかし、製品の耐久性やフィット性等の要求が強まるにつれて、原糸としてカバード糸を使用したゾッキタイプやサポートタイプ、交編タイプなどが主要製品となっている。カバード糸ではシングルカバード糸あるいはダブルカバード糸が主に使用されている。
一般的に、これらの糸においては、ポリウレタン弾性糸の芯糸を、ナイロン繊維やポリアミド繊維などのフィラメント糸、または紡績糸のカバリング糸が一重以上に被覆した糸構造をなしている。そのために、ピュアタイプやシアータイプと比べて、ゾッキタイプやサポートタイプなどでは製品の透明性が悪いという欠点をもっている。また、アンケート調査や意識調査の結果、パンティスットキング購入時において、女性はフィット性や耐久性とともに、透明感や素肌らしさなどの審美性を重要視していることが明らかとなった。
【０００７】
カバリング機などを用いた原糸の製造工程においては芯糸の延伸比、およびカバリング糸の巻き数、あるいは撚り数が製造条件として設定されるものであり、一般的には延伸比２〜３倍、および巻き数２，０００ｒｐｍ前後に設定した原糸製造が主流である。したがって、パンティストッキングやストッキングなどは一定な延伸比、かつ一定巻き数に設定された原糸を作製した後、この原糸からチューブラ編機や丸編機などの編機を用いて各種タイプの製品が製造されている。そのために、最終繊維製品の製造時間やコストなどの低減化に影響を及ぼすばかりでなく、一定な構造の原糸を用いることが繊維製品の諸特性や差別化、改善法などにも大きな影響を与えている。
【０００８】
本発明は、まず、原糸であるカバードヤーンの諸製造条件が糸の物理的特性と最終繊維製品に及ぼす影響について検討するために、鋭意工夫して、さまざまな実験を繰り返した。その結果、カバードヤーンの糸構造は作製条件である芯糸延伸比とカバリング糸の巻き数などによって変化し、その機械的性質や基本的な物理特性などに大きく影響を及ぼすことがわかった。また、ストッキングやパンティストッキングなどの審美性は使用した各糸の太さと原糸の太さだけで判定することができないことや、カバードヤーン作製中の芯糸延伸比とカバリング糸の巻き数に大きく依存することをはじめて明らかすることができた。
【０００９】
ついで、カバリング機において諸製造条件が積極的かつ任意に、しかも連続的、部分的に制御できる新規なカバリング機を試作するために、様々な工夫と数多くの実験を繰り返した結果、やっとのことで試作機が完成した。また、この機械を用いることによって、丸平編物の透明感などについて検討した結果、芯糸に比べて、カバリング糸の繊維繊度と構成繊維本数が大きく影響を及ぼすことや、脚部部位によって透明感が変化し、大腿部から足首に向かって光透過性が悪くなっていることなども明らかにした。すなわち、一定な延伸比と巻き数から作製されたシングルカバード糸を用いるのではなくて、製編中の脚部部位にあわせてそれらの原糸特性値を変化させることができれば、パンティスットキングなどの透明感を制御することが可能となるのである。
【００１０】
さらに、チューブラ編機の糸供給口数にあわせて、原糸製造部数を増加させるための機械改造を行うとともに、原糸作製速度と編機の糸供給速度との同期、すなわち原糸の巻上げ速度と張力、および供給糸の速度と張力を積極的に制御することが必要であった。いろいろと試行錯誤し、様々な工夫と実験を繰り返すことによって、やっと製編中に脚部部位にあわせて原糸特性値を制御できるようになった。すなわち、上記の課題は、ストッキングあるいはパンティスットキングなどの脚部部位の製編中において、原糸の延伸比と巻き数を積極的に、かつ連続的、部分的に変化させるために、原糸作製機と編織機を直結し、組み合わせることによって、審美性に優れた独特の外観をもつ新規原糸、あるいは繊維集合体が製造できるようになったのである。
【００１１】
【作用】
本発明は、ストッキングあるいはパンティストッキングなどの原糸中において、その巻き数あるいは撚り数、または延伸比を連続的かつ部分的に変化・制御させることを特徴とする糸と繊維集合体、およびそれらの製造方法からなるものであり、原糸の物理特性と光透過性などの特徴を生かした独特の審美性をもつ多様なストッキングやパンティストッキング、タイツが得られる。
【００１２】
【実施例】
以下、本発明のパンティストッキング、およびそれらの製造法について、具体的な構成を実施例に基づいて説明するとともに、その特性を説明する。
【００１３】
実施例１
新規なカバードヤーン、すなわちシングルカバードヤーンおよびダブルカバードヤーンを作製するために、芯糸の延伸比あるいはカバリング糸の巻き数をそれぞれ任意に調整・制御するためのコントローラを備えた新規カバリング機を試作した。本試作機を用いて、芯糸にポリウレタン糸２０ｄｅｎｉｅｒ、カバリング糸にナイロン糸１０，２０ｄｅｎｉｅｒを用いて、芯糸延伸比２，４倍で、巻き数の異なるシングルカバード糸３４ｄｅｎｉｅｒを試作することに成功した。すなわち、１本の原糸中において芯糸の延伸比、あるいはカバリング糸の巻き数を変化させることに成功した。
また、これらの原糸を用いて、丸平編物を一定条件で製編することにより、シングルカバードヤーンの糸構造が丸平編物の特性に及ぼす影響を調べた。表１はその実験結果を示す。同じ番手（太さ）のシングルカバードヤーンにおいて、同じ太さの芯糸を用いても、芯糸の延伸比とカバリング糸の巻き数は丸平編物の初期厚さ及びカバーファクターに大きく影響を及ぼすことがわかった。また、パンティスットキングの審美性はシングルカバードヤーンの太さだけでは評価できないこともわかった。
2004277983.tif 000003
【００１４】
実施例２
上記実施例１に示したサンプル４種類を用いて、編物の伸長率と光透過率の関係について検討した結果、編物伸長率の増加、およびシングルカバードヤーン巻き数の増加とともに、編物の光透過率は増加することがわかった（図１）。
2004277983.tif 000004
さらに、これら４種類のサンプルを用いて、編物の伸長率と色差の関係を検討した結果、編物の伸長率の増加とシングルカバードヤーンの巻き数の増加とともに、丸平編物の色差が減少することがわかった（図２）。
したがって、シングルカバード糸が同一の芯糸とカバリング糸から構成された同一番手であっても、カバリング糸の巻き数と芯糸の延伸比は丸平編物の光透過性、ならびにその審美性に大きく影響を及ぼすことがわかった。
【００１５】
実施例３
表２に示した市販パンティストッキング２タイプ３色の計６種類について、日本人女性が着用した場合の脚部色彩をカラーリーダーで測定し、その色度差について検討した。図３において、伸長比の
2004277983.tif 000005
は増加傾向を示した。また、黄色成分の変化割合は赤色成分の変化割合に比べて大きい。したがって、膝部（＝伸長比１）の上下部位、すなわち大腿部と足首部では色度が変化しており、パンティストッキング着用時の色彩は脚部部位で異なることがわかった。さらに、両色度差は黒色、白色、ベージュ色の順に減少すること、ならびに交編タイプはゾッキタイプに比べて色度差が小さいこともわかった。
2004277983.tif 000006
なお、交編タイプはナイロン糸１５ｄｅｎｉｅｒとシングルカバードが１コースごとにで製編されている。
2004277983.tif 000007
以上のように、一定な巻き数で製編され、染色されたパンティストッキングでは、着用時の脚部部位においてその色彩が変化するために、審美性も悪くなっていることは明白である。
【００１６】
実施例４
試作した新規カバリング機において、チュブラー編機や丸編機などの編機への原糸供給を考慮し、その巻き上げ機構にも検討を加え、変速機または可変張力器を装備させることにも成功した。その結果、原糸は切断することなしに、供給糸の構造制御と速度制御が可能となり、簡単かつ安定的にパンティスットキングを製造できるようになった。すなわち、原糸をいちいちコーンまたはチーズに巻き取る必要が無くなるために、人件費と製造時間の短縮化が可能となり、低価格化な製品の製造が可能となったのである。
【００１７】
実施例５
さらに、本発明による新規原糸作製機構付き編織機では、シングルカバードヤーン作製中に芯糸とカバリング糸それぞれの供給張力を制御したとき、あるいは編織機への供給糸張力を調整したときに、これまでにない新しい模様が出現でき、独特な外観をもつ繊維製品が製造できたのである。
2004277983.tif 000008
【００１８】
本発明の製造方法は、弾性材料としてあらゆる繊維製品に対して応用することが可能であり、異種類の繊維素材と組み合わせることによって、独特の外観と構造、風合い、機能性をもつ広範囲な繊維材料として，新規原糸、繊維製品、ならびに農・産業用ネットなどが安定的にかつ安価に製造できる。
【００１９】
【効果】
本発明によれば、原糸中においてその巻き数あるいは撚り数、ならびに延伸比が積極的かつ任意に、ならびに連続的、部分的に調整・制御でき、しかも独特の外観や風合い、審美的快適性などを特徴とする新規原糸、ならびにそれらの繊維製品や農・産業用資材が安定的かつ安価に製造できる。
【００２０】
【図面の簡単な説明】
第１図は、本発明による新規なストッキングあるいはパンティスットキングの脚部概略図の一例である。
【図１】
2004277983.tif 000009